(57)【要約】【課題】支柱が鉛直に近くなるように設置しても、容易かつ安全に昇降することが可能な梯子を提供すること。【解決手段】梯子１は、左支柱１０ａと右支柱１０ｂとの２の支柱１０と、左側昇降補助具２０ａと右側昇降補助具２０ｂとの２の昇降補助具２０とを備え、昇降補助具２０は上下方向に長さＨだけ離間した２の突起２６と踏み板２８とを有し、支柱１０は左右方向に突起２６を挿通させる溝部１２を有し、溝部１２は上下方向の長さＨ毎に略水平な水平部１２１を有する。【選択図】図１
2020070663.tif 000002
【特許請求の範囲】
【請求項１】
左支柱と右支柱との２の支柱と、
左側昇降補助具と右側昇降補助具との２の昇降補助具とを備え、
前記昇降補助具は、上下方向に長さＨだけ離間した２の突起と、踏み板とを有し、
前記支柱は、左右方向に前記突起を挿通させる溝部を有し、
前記溝部は、上下方向の長さＨ毎に略水平な水平部を有することを特徴とする、梯子。
【請求項２】
前記突起は、その先端に、前記溝部の幅を超える大きさの、止め具を有することを特徴とする、請求項１に記載の梯子。
【請求項３】
前記昇降補助具は、上方に延伸される握り棒を有することを特徴とする、請求項１又は２に記載の梯子。
【請求項４】
前記踏み板は、その上方に、足を掛ける湾曲部を有することを特徴とする、請求項１〜３のいずれか１項に記載の梯子。
【請求項５】
前記水平部は、前記溝部のうち前記水平部の上方に延伸する部分の下に、前記突起を嵌入させる係止部を有することを特徴とする、請求項１〜４のいずれか１項に記載の梯子。
【請求項６】
前記左支柱と前記右支柱とは、上端及び下端のみにおいて結合され、中間において前記左支柱と前記右支柱との間の踏み桟を有さないことを特徴とする、請求項１〜５のいずれか１項に記載の梯子。
【発明の詳細な説明】
【技術分野】
【０００１】
本発明は、建築現場や家庭内等において高所での作業に使用される梯子に関する。
【背景技術】
【０００２】
従来、建築現場や家庭内等において高所での作業に梯子が用いられている。安全性や作業スペースを確保するために、梯子の踏み桟の間に取り付けられる補助ステップも知られている（例えば、特許文献１参照）。
【０００３】
しかしながら、このような梯子には次のような問題がある。安全性を高めるために支柱の傾斜が緩やかとなるように下端を壁面から離して梯子を設置した場合、梯子の下端において壁面との水平距離が大きくなり、その距離分だけ梯子の設置スペースを確保する必要があった。また、梯子が壁から離れているため、梯子の昇降の途中で壁面に設けられた出入口や窓等の開口から物品の出し入れをしたり人が出入りすることが困難であった。
【０００４】
一方、梯子の支柱が鉛直に近くなるように梯子を設置した場合、梯子の踏み桟を上り下りする際に踏み桟に体重移動がしづらくなり、直立する姿勢が保ちづらくなる。また、足を踏み外した場合に梯子から転落し易くなる。また、バランスがとりづらいため、上り下りの途中で梯子から手を放すことができない。
【先行技術文献】
【特許文献】
【０００５】
【特許文献１】特開２０１０−７７７８８号公報
【発明の概要】
【発明が解決しようとする課題】
【０００６】
本発明は、支柱が鉛直に近くなるように設置しても、容易かつ安全に昇降することが可能な梯子を提供することを課題とする。
【課題を解決するための手段】
【０００７】
本発明の梯子は、
左支柱と右支柱との２の支柱と、
左側昇降補助具と右側昇降補助具との２の昇降補助具とを備え、
前記昇降補助具は、上下方向に長さＨだけ離間した２の突起と、踏み板とを有し、
前記支柱は、左右方向に前記突起を挿通させる溝部を有し、
前記溝部は、上下方向の長さＨ毎に略水平な水平部を有することを特徴とする。
【０００８】
この特徴によれば、支柱が鉛直となるように梯子を設置しても、昇降補助具を支柱の溝部に沿って移動させて踏み板に足を乗せることで、容易かつ安全に昇降することができる。
【０００９】
本発明の梯子は、
前記突起は、その先端に、前記溝部の幅を超える大きさの、止め具を有することを特徴とする。
【００１０】
この特徴によれば、昇降補助具の突起が支柱の溝部から外れないようにすることができ、昇降中に昇降補助具が支柱から落下するのを防ぐことができる。
【００１１】
本発明の梯子は、
前記昇降補助具は、上方に延伸される握り棒を有することを特徴とする。
【００１２】
この特徴によれば、握り棒を握って昇降補助具を操作することで、昇降補助具を支柱の溝部に沿って容易に動かすことができる。
【００１３】
本発明の梯子は、
前記踏み板は、その上方に、足を掛ける湾曲部を有することを特徴とする。
【００１４】
この特徴によれば、踏み板から足が外れるのを防ぐことができる。また、湾曲部に足を掛けて昇降補助具を動かすことができる。
【００１５】
本発明の梯子は、
前記水平部は、前記溝部のうち前記水平部の上方に延伸する部分の下に、前記突起を嵌入させる係止部を有することを特徴とする。
【００１６】
この特徴によれば、昇降補助具を係止部で係止して動かないようにすることで、安全に昇降することができる。
【００１７】
本発明の梯子は、
前記左支柱と前記右支柱とは、上端及び下端のみにおいて結合され、中間において前記左支柱と前記右支柱との間の踏み桟を有さないことを特徴とする。
【００１８】
この特徴によれば、踏み桟に足が掛かってしまうことがなくなり、梯子の昇降を容易にすることができる。
【発明の効果】
【００１９】
本発明によれば、支柱が鉛直となるように梯子を設置しても、昇降補助具を支柱の溝部に沿って移動させて踏み板に足を乗せることで、容易かつ安全に昇降することができる。
【図面の簡単な説明】
【００２０】
【図１】図１は、梯子の斜視図である。
【図２】図２は、昇降補助具の分解図である。
【図３】図３は、梯子の分解図である。
【図４】図４（ａ）は昇降補助具を取り外した梯子の左支柱を右側から見た図、図４（ｂ）は昇降補助具と上端部材及び下端部材の前板とを取り外した梯子の正面図、図４（ｃ）は昇降補助具を取り外した梯子の右支柱を右側から見た図である。
【図５】図５は、２の昇降補助具各々の２の突起各々が２の支柱各々の溝部の最も低い位置にある係止部及びその次に低い位置にある係止部に係止されている状態の斜視図である。
【図６】図６は、２の昇降補助具各々の２の突起各々が２の支柱各々の溝部の最も低い位置にある係止部及びその次に低い位置にある係止部に係止されている状態の正面図である。
【図７】図７は、２の昇降補助具各々の２の突起各々が２の支柱各々の溝部の最も低い位置にある係止部及びその次に低い位置にある係止部に係止されている状態の模式的側面図である。
【図８】図８は、左昇降補助具の突起が溝部の傾斜部に位置する状態の斜視図である。
【図９】図９は、左昇降補助具の突起が溝部の傾斜部に位置する状態の正面図である。
【図１０】図１０は、左昇降補助具の突起が溝部の傾斜部に位置する状態の模式的側面図である。
【図１１】図１１は、左昇降補助具を図５に示す状態から高さ（Ｈ＋δ）だけ上昇させた状態を示す斜視図である。
【図１２】図１２は、左昇降補助具を図６に示す状態から高さ（Ｈ＋δ）だけ上昇させた状態を示す正面図である。
【図１３】図１３は、左昇降補助具を図７に示す状態から高さ（Ｈ＋δ）だけ上昇させた状態を示す模式的側面図である。
【発明を実施するための形態】
【００２１】
以下、本発明の実施形態を図面を参照して詳細に説明する。図１は本発明の実施形態に係る梯子の斜視図であり、図２は昇降補助具の分解図であり、図３は梯子の分解図であり、図４（ａ）は昇降補助具を取り外した梯子の左支柱を右側から見た図であり、図４（ｂ）は昇降補助具と上端部材及び下端部材の前板とを取り外した梯子の正面図であり、図４（ｃ）は昇降補助具を取り外した梯子の右支柱を右側から見た図である。なお、以下の説明においては、図１の紙面に向かって左斜め上側を「左側」、右斜め下側を「右側」、左斜め下側を「前側」、右斜め上側を「後側」として説明する。
【００２２】
図１に示すように、梯子１は、左右に配置され上下方向に平行に伸びる２の支柱１０と、当該各支柱１０の内側に取り付けられた２の昇降補助具２０と、を有する。これらの部材は例えば主に金属や木材で形成されている。以下、左右の支柱１０を区別して説明する必要がある場合には、左側の支柱１０を「左支柱１０ａ」、右側の支柱１０を「右支柱１０ｂ」といい、左右の昇降補助具２０を区別して説明する必要がある場合には、左側の昇降補助具２０を「左側昇降補助具２０ａ」、右側の昇降補助具２０を「右側昇降補助具２０ｂ」という。また、左右の各支柱１０及び左右の昇降補助具２０の構成部材を区別して説明する必要がある場合には、左の構成部材には符号の末尾に「ａ」を付し、右の構成部材には符号の末尾に「ｂ」を付して説明する。
【００２３】
支柱１０は細長い板形状を有しており、左支柱１０ａと右支柱１０ｂとは、板面（主面）同士が向かい合うように配置されている。各支柱１０の後側側面の上部と下部には、支柱１０の転倒を防ぐために壁等に引っ掛けるための引掛部材１１が設けられている。
【００２４】
左支柱１０ａと右支柱１０ｂとは、上端及び下端のみがそれぞれ上端部材３２及び下端部材３４で結合されている。なお、梯子１は中間において左支柱１０ａと右支柱１０ｂとの間に通常設けられる踏み桟を有していない。これにより、梯子１の昇降に際して踏み桟に足が掛かってしまうことをなくすことができる。（踏み桟を１段おきに使用するので、間の足を乗せない踏み桟に足が掛かってしまうことがある。）
【００２５】
上端部材３２及び下端部材３４は四角筒形状を有している。図３、図４に示すように、上端部材３２は、１枚の前板３２１と、１枚の後板３２２と、対向する２枚の内側側板３２３，３２３と、対向する２枚の外側側板３２４，３２４と、で構成されており、同様に、下端部材３４は、１枚の前板３４１と、１枚の後板３４２と、対向する２枚の内側側板３４３，３４３と、対向する２枚の外側側板３４４，３４４と、で構成されており、各板面は鉛直方向に配置されている。左支柱１０ａ及び右支柱１０ｂの上端部の板面各々は、上端部材３２の内側側板３２３と外側側板３２４との間に挟まれて固定されており、左支柱１０ａ及び右支柱１０ｂの下端部の板面各々は、下端部材３４の内側側板３４３と外側側板３４４との間に挟まれて固定されている。図１に示すように支柱１０を鉛直に立てて下端部材３４を床面に載置することで、梯子１の設置スペースを小さくすることができる。
【００２６】
支柱１０の板面には、支柱１０の左右方向（厚さ方向）に貫通する溝部１２が設けられている、当該溝部１２は昇降補助具２０を取り付けるためのものである。図４に示すように、溝部１２は、上下方向の長さＨ毎に略水平に設けられた水平部１２１と、各水平部１２１の間に斜めに設けられた傾斜部１２２と、を有している。傾斜部１２２は、その上側の水平部１２１の後端と、その下側の水平部１２１の前端とを連結しており、これらの水平部１２１及び傾斜部１２２によってＺ字型の連続した溝が形成されている。
【００２７】
水平部１２１の前端、すなわち、水平部１２１において傾斜部１２２が上方に延伸する部分の下には、長さδだけ下方に切り欠かれた係止部１２３が設けられている。この係止部１２３で昇降補助具２０を係止することができ、安全性を高めることができる。
【００２８】
左支柱１０ａと右支柱１０ｂとの溝部１２の形状パターンは同一であるが、上下方向に所定長さだけずらして形成されている。本実施形態では、右支柱１０ｂの最も低い位置にある水平部１２１ｂは、左支柱１０ａの最も低い位置にある水平部１２１ａよりも長さＬだけ高い位置に配置されている。このように左支柱１０ａと右支柱１０ｂとで溝部１２の形状パターンを高さＬだけすらして形成することで、左側の足で高さＬだけ昇り、右側の足で高さＬだけ下ることが可能となる。なお、左右を逆にして、左支柱１０ａの最下部の水平部１２１ａを、右支柱１０ｂの最下部の水平部１２１ｂよりも長さＬだけ高い位置に配置してもよい。
【００２９】
図２に示すように、昇降補助具２０は、前後方向及び当該前後方向後側端部から下方に伸びる逆Ｌ字型部材２４と、当該逆Ｌ字型部材２４の前側端部から上方に延伸される握り棒２２と、を有している。逆Ｌ字型部材２４の外側側方には、上下方向に長さＨだけ離間する２の突起２６が設けられている。突起２６は、その先端に溝部１２の幅を超える大きさの止め具２６１を有している。この突起２６は支柱１０の溝部１２に左右方向に挿通される。突起２６は例えばネジであり、ネジの頭部の径が溝部１２の幅よりも大きく形成されており、当該頭部が止め具２６１としての役割を果たしている。
【００３０】
昇降補助具２０を支柱１０に取り付ける際には、昇降補助具２０の逆Ｌ字型部材２４における突起２６を取り付ける箇所各々の外側にリング２７，２７を配置し、そのリング２７，２７の外側に支柱１０を配置し、この状態で突起２６，２６の後端を支柱１０の外側から溝部１２及びリング２７，２７を通して、昇降補助具２０の逆Ｌ字型部材２４に留める。突起２６の先端の止め具２６１が溝部１２の幅を超える大きさであるため、突起２６が溝１２から外れることはなく、昇降補助具２０が支柱１０から外れるのを防ぐことができる。
【００３１】
なお、左右の各足で同じ高さだけ昇降できるように、長さＬは長さＨの１／２とするのが好ましいが、利き足、軸足、梯子１上での作業の内容等を考慮して、長さＬを長さＨの１／３、１／４等、任意の割合とすることができる。
【００３２】
逆Ｌ字型部材２４の下部には、内側方向及び当該内側方向端部から下方に伸びる逆Ｌ字型の支持部材２５が連結されている。逆Ｌ字型部材２４及び支持部材２５の下部の前面には、足を乗せる踏み板２８が取り付けられている。踏み板２８の足を乗せる面は略水平に設けられており、上面視矩形形状を有している。踏み板２８は、上方に足を掛けるアーチ型の湾曲部２８１を有する。湾曲部２８１は、踏み板２８の逆Ｌ字型部材２４（及び支持部材２５）寄りの左右側面から上方に張り出して踏み板２８の上方を覆っている。この湾曲部２８１と踏み板２８との間に足を掛けることで、足が踏み板２８から外れるのを防ぐことができる。
【００３３】
次に、図５〜図１３を参照して、上記構成の梯子１を作業者が上る手順を説明する。図５は２の昇降補助具２０各々の２の突起２６，２６各々が２の支柱１０各々の溝部１２の最も低い位置にある係止部１２３及びその次に低い位置にある係止部１２３に係止されている状態の斜視図であり、図６はその正面図であり、図７はその模式的側面図である。
【００３４】
この状態から、左側昇降補助具２０ａの握り棒２２ａを掴んで上方に力を加えて、左側昇降補助具２０ａを上に移動させる。なお、握り棒２２ａを掴まずに、踏み板２８ａの湾曲部２８１ａに足を掛けて足を上げることで、左側昇降補助具２０ａを上に移動させてもよい。これにより、図８〜１０に示すように、左側昇降補助具２０ａの突起２６ａ，２６ａが、溝部１２ａの最も低い位置と次に低い位置にある係止部１２３ａ，１２３ａからその上方にある傾斜部１２２ａ，１２２ａに移動する。図８は、左側昇降補助具２０ａの突起２６ａが溝部１２ａの傾斜部１２２ａに位置する状態の斜視図であり、図９はその正面図であり、図１０はその模式的側面図である。
【００３５】
この状態から、左側昇降補助具２０ａをさらに上に移動させると、図１１〜１３に示すように、左側昇降補助具２０ａの各突起２６ａ，２６ａは図５〜図７に示す状態から高さ（Ｈ＋δ）だけ上昇し、１つ上の水平部１２１ａ，１２１ａの高さまで持ち上げられる。図１１は、左側昇降補助具２０ａを図５に示す状態から高さ（Ｈ＋δ）だけ上昇させた状態を示す斜視図であり、図１２は、左側昇降補助具２０ａを図６に示す状態から高さ（Ｈ＋δ）だけ上昇させた状態を示す正面図であり、図１３は、左側昇降補助具２０ａを図７に示す状態から高さ（Ｈ＋δ）だけ上昇させた状態を示す模式的側面図である。
【００３６】
この状態から、左側昇降補助具２０ａを前方に動かすことで、水平部１２１ａの係止部１２３ａに突起２６ａが嵌入し、係止部１２３ａの切り欠きの長さδだけ左側昇降補助具２０ａが沈み込む。これにより、左側の踏み板２８ａは、図５の状態の左側の踏み板２８ａよりも高さＨだけ上昇し、右側の踏み板２８ｂよりも高さＬだけ上昇する。
【００３７】
右側昇降補助具２０ｂについても、同様の動作を行うことで、高さＨを高さＬの２倍に構成した場合、右側の踏み板２８ｂを高さＨだけ上昇させ、左側の踏み板２８ａよりも高さＬだけ上昇させることができる。左側昇降補助具２０ａ及び右側昇降補助具２０ｂの上記動作を交互に行うことで、梯子１を上ることができる。梯子１を下る場合にも、上る場合と同様の原理で左側昇降補助具２０ａ及び右側昇降補助具２０ｂを溝部１２に沿って下降させることで、梯子１を下ることができる。
【００３８】
以上説明したように、支柱１０が鉛直となるように梯子１を設置しても、昇降補助具２０を支柱１０の溝部１２に沿って移動させて踏み板２８に足を乗せることで、容易かつ安全に昇降することができる。また、梯子１を壁に近接させて設置することができるため、梯子１の昇降の途中で壁面に設けられた出入口や窓等の開口から物品の出し入れをしたり人が出入りすることができる。
【産業上の利用可能性】
【００３９】
狭いスペースに設置して、安全かつ容易に高所での作業を行うことができる。
【符号の説明】
【００４０】
１      梯子
１０    支柱
１０ａ  左支柱
１０ｂ  右支柱
１１    引掛部材
１２    溝部
１２１  水平部
１２２  傾斜部
２０    昇降補助具
２０ａ  左側昇降補助具
２０ｂ  右側昇降補助具
２２    握り棒
２４    逆Ｌ字型部材
２５    支持部材
２６    突起
２６１  止め具
２７    リング
２８    踏み板
２８１  湾曲部
３２    上端部材
３２１  前板
３２２  後板
３２３  内側側板
３２４  外側側板
３４    下端部材
３４１  前板
３４２  後板
３４３  内側側板
３４４  外側側板
【図１】
2020070663.tif 000003
【図２】
2020070663.tif 000004
【図３】
2020070663.tif 000005
【図４】
2020070663.tif 000006
【図５】
2020070663.tif 000007
【図６】
2020070663.tif 000008
【図７】
2020070663.tif 000009
【図８】
2020070663.tif 000010
【図９】
2020070663.tif 000011
【図１０】
2020070663.tif 000012
【図１１】
2020070663.tif 000013
【図１２】
2020070663.tif 000014
【図１３】
2020070663.tif 000015
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
左支柱と右支柱との２の支柱と、
左側昇降補助具と右側昇降補助具との２の昇降補助具とを備え、
前記昇降補助具は、上下方向に長さＨだけ離間した２の突起と、踏み板とを有し、
前記支柱は、左右方向に前記突起を挿通させる溝部を有し、
前記溝部は、
上下方向の長さＨ毎に略水平な水平部を有し、
２の前記水平部の間に斜めに設けられた傾斜部を有し、
前記傾斜部は、その上側の前記水平部の後端と、その下側の前記水平部の前端とを連結し、
前記水平部及び前記傾斜部によってＺ字型の連続した溝が形成されている
ことを特徴とする、梯子。
【請求項２】
前記突起は、その先端に、前記溝部の幅を超える大きさの、止め具を有することを特徴とする、請求項１に記載の梯子。
【請求項３】
前記昇降補助具は、上方に延伸される握り棒を有することを特徴とする、請求項１又は２に記載の梯子。
【請求項４】
前記踏み板は、その上方に、足を掛ける湾曲部を有することを特徴とする、請求項１〜３のいずれか１項に記載の梯子。
【請求項５】
前記水平部は、前記傾斜部が上方に延伸する部分の下に、前記突起を嵌入させる係止部を有することを特徴とする、請求項１〜４のいずれか１項に記載の梯子。
【請求項６】
前記左支柱と前記右支柱とは、上端及び下端のみにおいて結合され、中間において前記左支柱と前記右支柱との間の踏み桟を有さないことを特徴とする、請求項１〜５のいずれか１項に記載の梯子。